(57)【要約】【課題】放射線発生部に依らず、適切な補正用画像を生成することができる放射線撮像装置及び補正用画像生成方法を提供することを課題とする。【解決手段】放射線撮像装置は、放射線を照射する放射線発生部（１００１）と、放射線を基に画像を生成する撮像部（１００４）と、前記撮像部と前記放射線発生部の複数の設置形態において、前記放射線発生部が放射線を照射して、複数の第１の補正用画像を取得し、前記複数の第１の補正用画像を合成することにより、第２の補正用画像を生成する生成部（１０２３）とを有する。【選択図】図１
2017202086.tif 000002
【特許請求の範囲】
【請求項１】
放射線を照射する放射線発生部と、
放射線を基に画像を生成する撮像部と、
前記撮像部と前記放射線発生部の複数の設置形態において、前記放射線発生部が放射線を照射して、複数の第１の補正用画像を取得し、前記複数の第１の補正用画像を合成することにより、第２の補正用画像を生成する生成部と
を有することを特徴とする放射線撮像装置。
【請求項２】
前記撮像部と前記放射線発生部の複数の設置形態、かつ被写体がない状態で、前記放射線発生部は、放射線を照射し、前記撮像部は、前記第１の補正用画像を生成することを特徴とする請求項１記載の放射線撮像装置。
【請求項３】
前記撮像部又は前記放射線発生部の複数の角度の各々の状態で、前記放射線発生部は、放射線を照射し、前記撮像部は、前記第１の補正用画像を生成し、前記生成部は、前記複数の角度の各々の状態の前記第１の補正用画像を合成することにより、前記第２の補正用画像を生成することを特徴とする請求項１又は２記載の放射線撮像装置。
【請求項４】
前記角度は、回転角度であることを特徴とする請求項３記載の放射線撮像装置。
【請求項５】
前記生成部は、少なくとも略１８０度異なる複数の回転角度の状態の前記第１の補正用画像を用いて合成することを特徴とする請求項３又は４記載の放射線撮像装置。
【請求項６】
さらに、前記第２の補正用画像を用いて、前記撮像部により生成された画像を補正する補正部を有することを特徴とする請求項１〜５のいずれか１項に記載の放射線撮像装置。
【請求項７】
前記補正部は、前記第２の補正用画像を用いて、被写体がある状態で前記撮像部により生成された画像を補正することを特徴とする請求項６記載の放射線撮像装置。
【請求項８】
前記放射線発生部は、不均一な照射分布で放射線を照射することを特徴とする請求項１〜７のいずれか１項に記載の放射線撮像装置。
【請求項９】
前記撮像部は、前記第２の補正用画像を保存する保存部を有することを特徴とする請求項１〜８のいずれか１項に記載の放射線撮像装置。
【請求項１０】
放射線を照射する放射線発生部と、
放射線を基に画像を生成する撮像部とを有する放射線撮像装置の補正用画像生成方法であって、
前記撮像部と前記放射線発生部の複数の設置形態において、前記放射線発生部により、放射線を照射し、前記撮像部により、複数の第１の補正用画像を生成するステップと、
生成部により、前記複数の第１の補正用画像を合成することにより、第２の補正用画像を生成するステップと
を有することを特徴とする補正用画像生成方法。
【発明の詳細な説明】
【技術分野】
【０００１】
本発明は、放射線撮像装置及び補正用画像生成方法に関する。
【背景技術】
【０００２】
Ｘ線撮像装置では、Ｘ線源からＸ線ビームを投射し、Ｘ線ビームが被検体を通過した後、フィルム、ＦＰＤ（Flat Panel Detector）等により撮像される。Ｘ線写真は、民生機器と同様にデジタル化が急速に進んでいる。特に、近年、ＦＰＤと呼ばれる受像手段として、半導体を用いた微小な光電変換素子、スイッチング素子等から成る画素を行列状に配列した光電変換装置を使用し、デジタル画像を取得する技術が開発されている。特に、カセッテ型ＦＰＤは、軽量可搬であり、設置が自由であるため、各種の撮像法に使用可能であり、立位スタンド及び臥位テーブル等のカセッテ支持装置を使用することにより、従来の立位型ＦＰＤや臥位型ＦＰＤと同様の使用も可能である。また、カセッテは、例えば、肩関節撮像に使用されるジョナー位像撮像法のように斜めに傾けて撮像する方法等もある。
【０００３】
Ｘ線撮像装置（ＦＰＤ）では、画素毎の感度差を補正するために白補正を行っている。白補正では、正面から撮像された画像を用いるため、各画素のゲインばらつきを補正できるのと同時に、放射線管球の照射ムラやグリッドの透過ムラやフォトタイマの透過ムラ等も同時に補正できることは、フィルムスクリーンに対するＦＰＤの利点でもある。
【０００４】
特許文献１には、修理時の代替用Ｘ線撮像装置において、修理前の白補正用画像と病院撮像室において取得された画像を用いて、合成白画像を作り、白補正に利用する技術が開示されている。また、特許文献２には、Ｘ線入射角度に応じて、適正な白補正を選択又は合成する技術が開示されている。
【先行技術文献】
【特許文献】
【０００５】
【特許文献１】特開２０１５−３２６８号公報
【特許文献２】特開２００５−２０４８１０号公報
【発明の概要】
【発明が解決しようとする課題】
【０００６】
しかしながら、特許文献１では、病院撮像室で取得された白画像を用いる必要があるため、設置後すぐに用いる場合や新規のＸ線発生装置にて用いる場合に、病院内で白画像を取得するため、準備時間がかかるという課題がある。また、特許文献２では、Ｘ線入射角度は同一であるが、撮像装置に到達するＸ線分布が略平行状とならないＸ線発生状態にて白画像を生成すると、全画像に白画像のシェーディングが付加されるという課題がある。
【０００７】
本発明の目的は、放射線発生部に依らず、適切な補正用画像を生成することができる放射線撮像装置及び補正用画像生成方法を提供することである。
【課題を解決するための手段】
【０００８】
本発明の放射線撮像装置は、放射線を照射する放射線発生部と、放射線を基に画像を生成する撮像部と、前記撮像部と前記放射線発生部の複数の設置形態において、前記放射線発生部が放射線を照射して、複数の第１の補正用画像を取得し、前記複数の第１の補正用画像を合成することにより、第２の補正用画像を生成する生成部とを有する。
【発明の効果】
【０００９】
本発明によれば、放射線発生部に依らず、適切な補正用画像を生成することができる。
【図面の簡単な説明】
【００１０】
【図１】放射線撮像装置の構成例を示す図である。
【図２】補正用画像生成方法の処理を示すフローチャートである。
【図３】補正用画像生成方法を実施時の治具工具の例を示す図である。
【図４】補正用画像生成方法の概念を示す図である。
【図５】補正用画像生成方法の処理を示すフローチャートである。
【図６】照射分布が均一とならないＸ線発生部の例を示す図である。
【発明を実施するための形態】
【００１１】
図１は、本発明の実施形態による放射線撮像装置１０００の構成例を示す図である。以下では、放射線の一種であるＸ線を用いて被写体のＸ線画像データの撮像を行う場合について説明する。以下に説明するＸ線に限らず、例えば、他の放射線（例えば、α線、β線、γ線等）を用いて被写体の放射線画像データを撮像する放射線撮像装置に適用することも可能である。また、白補正、白画像の用語は、ゲイン補正、ゲイン画像と呼ばれることもあり、蛍光体や半導体画素の個体のゲインばらつきを補正するもの、ゲインばらつきの補正用画像を示すものである。
【００１２】
放射線撮像装置１０００は、特に医療用として使用される。医療従事者は、操作パネル１０１６を介して、ＣＰＵ１０１４及びメインメモリ１０１５を有する情報機器を用いて、ＣＰＵバス１０２６を介して、Ｘ線発生部１００１及び撮像部１００４を設定する。Ｘ線発生部１００１は、放射線発生部であり、被写体１００３にＸ線（放射線）１００２を照射する。撮像部１００４は、半導体の放射線検出部であり、被写体１００３を透過して入射するＸ線を検出し、Ｘ線画像データを生成する。Ｘ線発生部１００１は、Ｘ線を発生するＸ線発生部（管球）と、Ｘ線発生部において発生したＸ線のビーム広がり角を規定するコリメータとを有する。制御部１００５は、Ｘ線発生部１００１から照射されるＸ線の線量を制御する。撮像部１００４は、合成ゲイン補正用画像保存部１００８及び角度検出部１００９を有し、撮像された画像をデータ収集部１００６に出力する。合成ゲイン補正用画像保存部１００８は、合成ゲイン補正用画像を保存する。角度検出部１００９は、撮像部１００４の角度を検出する。データ収集部１００６は、撮像部１００４により生成されたＸ線画像データを前処理部１００７に出力する。ゲイン補正部１００７は、記憶部１０１２に記憶されているゲイン補正設定に応じて、合成ゲイン補正用画像保存部１００８に保存されている合成ゲイン補正用画像を用いて、Ｘ線画像データをゲイン補正し、画像処理部１０１３に出力する。これにより、撮像部１００４の画素毎の感度差を補正することができる。画像処理部１０１３は、表示用の画像処理を行い、診断用画像を生成する。画像表示器１０１７は、診断用画像を表示する。
【００１３】
記憶部１０１２は、ゲイン補正設定を記憶する。ゲイン補正判定部１０２４は、撮像前に、撮像部１００４の蛍光体や画素の個体のゲインばらつきを補正する合成ゲイン補正用データが適切か否かを、被写体１００３なしで撮像部１００４の撮像を行った結果によって、判定する。判定が適切でない場合には、Ｘ線発生部１００１及び撮像部１００４を用いて、ゲイン補正用画像を取得する。ゲイン補正用画像保存部１０１９は、そのゲイン補正用画像を保存する。この際、Ｘ線発生部１００１が陽極に電子ターゲットを当ててＸ線を発生させる装置である場合には、Ｘ線発生部１００１から照射されるＸ線は略平行とはならず、ヒール効果のために、陽陰極方向に出力差が生じる。このため、ゲイン補正用画像保存部１０１８にゲイン補正用画像を保存する際に紐づくように、角度保存部１０１８は、ゲイン補正用画像取得時の撮像部１００４の角度を保存する。
【００１４】
合成ゲイン補正用画像生成部１０２３は、ゲイン補正用画像保存部１０１９に保存されたゲイン補正用画像を、角度保存部１０１８に保存された撮像部１００４の角度毎に画像分類し、合成ゲイン補正用画像を生成する。ゲイン補正判定部１０２４は、合成ゲイン補正用画像が適切か否かを判定する。適切である場合には、合成ゲイン画像保存部１００８は、操作者の操作パネル１０１６の操作により、その合成ゲイン画像を保存する。なお、この工程は、病院撮像室において定期的に実施してもよいが、メーカや販売会社が出荷前に実施することで、ユーザは購入後に病院撮像室においてゲイン補正用画像を生成することなく、Ｘ線画像を取得することが可能となる。
【００１５】
図２は、放射線撮像装置１０００の合成ゲイン補正用画像生成方法を示すフローチャートであり、被写体の撮像を行い、Ｘ線画像データを表示するまでの処理について説明する。ステップＳ２０１〜Ｓ２０８は、工場出荷前の処理である。ステップＳ２０９〜Ｓ２１２は、設置時の使用前確認の処理である。
【００１６】
ステップＳ２０１では、放射線撮像装置１０００は、工場出荷時に出荷前データ取得処理を開始する。ステップＳ２０２では、放射線撮像装置１０００は、撮像部１００４を回転する治具に撮像部１００４を設置して、電源を入れ、撮像準備を行う。次に、ステップＳ２０３では、撮像部１００４を回転させ、撮像部１００４は、Ｘ線発生部１００１がＸ線を照射し、被写体１００３がない状態で、複数の角度における画像をゲイン補正用画像（第１の補正用画像）として撮像する。撮像部の角度は、治具の角度を測定してもよいし、角度検出部１００９がジャイロセンサなどにより検出してもよい。角度検出部１００９は、撮像部１００４の天井方向と地面方向を検出してもよい。次に、ステップＳ２０４では、合成ゲイン補正用画像生成部１０２３は、ゲイン補正用画像を撮像した時の撮像部１００４の角度を判定する。合成ゲイン補正用画像生成部１０２３は、一様でないＸ線照射分布を持つＸ線発生部１００１のヒール効果等のＸ線照射分布不均一性を相殺して補正することが目的であるので、撮像部１００４の角度が略１８０度異なる画像を含んでいるかをチェックする。ただし、角度精度は±１０度程度の精度でよい。合成ゲイン補正用画像生成部１０２３は、略１８０度異なる画像を含んでいない場合は、ステップＳ２０２に戻って、撮像部１００４を異なる角度に回転させて、ゲイン補正用画像を撮像させる。また、合成ゲイン補正用画像生成部１０２３は、略１８０度異なる画像を含んでいる場合は、ステップＳ２０５に処理を進める。
【００１７】
ステップＳ２０５では、合成ゲイン補正用画像生成部１０２３は、撮像された複数のゲイン補正用画像を、撮像部１００４の角度に基づき平均化処理により合成し、合成ゲイン補正用画像（第２の補正用画像）を生成する。例えば、合成ゲイン補正用画像生成部１０２３は、９０度毎に異なる４枚のゲイン補正用画像を平均化する。なお、合成ゲイン補正用画像生成部１０２３は、各角度毎にゲイン補正用画像を平均化処理した後に、合成ゲイン補正用画像のために平均化してもよい。
【００１８】
次に、ステップＳ２０６では、ゲイン補正判定部１０２４は、合成ゲイン補正用画像が適切か否かを判定し、適切である場合にはステップＳ２０７に処理を進める。なお、ゲイン補正判定部１０２３は、合成する前の１枚でも適切でないゲイン補正用画像が混じっている場合には、合成ゲイン補正用画像に反映されるため、ステップＳ２０５の前に、合成前の各ゲイン補正用画像を判定してもよい。
【００１９】
ステップＳ２０７では、放射線撮像装置１０００は、出荷前検査の処理を終了する。次に、ステップＳ２０８では、撮像部１００４内の合成ゲイン補正用画像保存部１００８は、出荷前に、上記で得られた合成ゲイン補正用画像を保存する。なお、出荷時に限定されず、販売会社におけるプレキッティングや、システムインテグレート会社におけるキッティング時でもよい。
【００２０】
次に、設置時の処理に関して説明する。ステップＳ２０９では、放射線撮像装置１０００は、設置環境にて、合成ゲイン補正用画像保存部１００８に保存されている合成ゲイン補正用画像を用いてテスト撮像を行う。撮像部１００４は、Ｘ線発生部１００１がＸ線を照射した状態で、Ｘ線画像データを生成する。ゲイン補正部１００７は、合成ゲイン補正用画像保存部１００８に保存されている合成ゲイン補正用画像を用いて、撮像部１００４により生成されたＸ線画像データをゲイン補正する。
【００２１】
次に、ステップＳ２１０では、ゲイン補正判定部１０２４は、ゲイン補正後のＸ線画像データが適切か否かを判定する。この判定は、設置環境にて、合成ゲイン補正用画像が使用可能か否かの判定である。判定方法は、ゲイン補正判定部１０２４によりメーカが提供するツールを用いて判定してもよいし、目視で判定してもよい。ゲイン補正判定部１０２４は、適切でない場合には、ステップＳ２１１に処理を進め、適切である場合には、ステップＳ２１２に処理を進める。
【００２２】
ステップＳ２１１では、放射線撮像装置１０００は、病院施設の環境において、ステップＳ２０１〜Ｓ２０８と同様に、合成ゲイン補正用画像を再び生成して合成ゲイン補正用画像保存部１００８に保存し、ステップＳ２０９に処理を戻す。ステップＳ２１２では、放射線撮像装置１０００は、設置完了し、設置時の処理を終了する。なお、受入試験が病院や地域で定められているので、設置後の受入試験を実施した後に、設置完了となる。
【００２３】
次に、ステップＳ２１３では、放射線撮像装置１０００は、合成ゲイン補正用画像保存部１００８に保存されている合成ゲイン補正用画像を用いて通常撮像を行う。撮像部１００４は、被写体１００３があり、Ｘ線発生部１００１がＸ線を照射した状態で、Ｘ線画像データを生成する。ゲイン補正部１００７は、合成ゲイン補正用画像保存部１００８に保存されている合成ゲイン補正用画像を用いて、撮像部１００４により生成されたＸ線画像データをゲイン補正する。ゲイン補正により、撮像部１００４の画素毎の感度差を補正することができる。画像処理部１０１３は、ゲイン補正されたＸ線画像データを基に表示用画像を生成する。画像表示器１０１７は、表示用画像を表示する。
【００２４】
図３は、撮像部１００４のゲイン補正用画像を取得する際の撮像部１００４の角度変更用の治具工具を示す図である。被写体１００３がない状態で、Ｘ線発生部１００１が撮像部１００４にＸ線を照射し、撮像部１００４は、Ｘ線画像データをゲイン補正用画像として生成する。この際、Ｘ線発生部１００１の距離を離してＸ線を照射しても、Ｘ線発生部１００１は、陽陰極のヒール効果がある場合には、略平行なＸ線とはなりにくく、大きな分布を持つことが多い。そこで、回転部３０１は、回転制御部３０２の制御の下、撮像部１００４の中心を回転中心にして、撮像部１００４を回転させる。なお、回転部３０１は、撮像部１００４を回転させることなく、Ｘ線発生部１００１の照射中心を回転中心にして、Ｘ線発生部１００１を回転させてもよい。ただし、多くのＸ線発生部１００１では、コリメータと呼ばれる照射野制限機構は回転させることができるが、陽陰極の方向を撮像部１００４から見て回転させることは不可能なことが多い。
【００２５】
ゲイン補正用画像保存部１０１９は、撮像部１００４（又はＸ線発生部１００１）の複数の角度において、撮像部１００４により生成されたゲイン補正用画像を保存する。回転制御部３０４は、回転させた撮像部１００４（又はＸ線発生部１００１）の角度をエンコーダ等から出力する。角度保存部１０１８は、回転制御部３０４が出力する角度を保存する。なお、角度検出部１００９がジャイロセンサ等により撮像部１００４（又はＸ線発生部１００１）の角度を検出し、角度保存部１０１８がその検出された角度を保存してもよい。ゲイン補正用画像保存部３０２の複数のゲイン補正用画像と角度保存部１０１８の複数の角度は、相互に対応付けられている。合成ゲイン補正用画像生成部１０２３は、角度保存部１０１８に保存されている複数の角度を参照し、ゲイン補正用画像保存部１０１９に保存されている複数のゲイン補正用画像を合成することにより、合成ゲイン補正用画像を生成する。具体的には、合成ゲイン補正用画像生成部１０２３は、相互に１８０度異なるペアのゲイン補正用画像を合成することにより、Ｘ線発生部１００１の陽陰極のヒール効果等のＸ線照射分布不均一性を相殺し、合成ゲイン補正用画像を生成する。
【００２６】
図４は、撮像部１００４により生成される複数のゲイン補正用画像を合成する際の合成方法を説明するための図である。回転部３０１は、撮像部１００４の中心を回転中心として、例えば、９０度毎の４角度である角度Ａ、角度Ｂ、角度Ｃ及び角度Ｄに撮像部１００４を回転させる。例えば、角度Ａは０度、角度Ｂは９０度、角度Ｃは１８０度、角度Ｄは２７０度である。撮像部１００４は、被写体１００３がなく、Ｘ線発生部１００１がＸ線を照射し、角度Ａの状態で、ＮA枚のゲイン補正用画像を生成する。次に、撮像部１００４は、被写体１００３がなく、Ｘ線発生部１００１がＸ線を照射し、角度Ｂの状態で、ＮB枚のゲイン補正用画像を生成する。次に、撮像部１００４は、被写体１００３がなく、Ｘ線発生部１００１がＸ線を照射し、角度Ｃの状態で、ＮC枚のゲイン補正用画像を生成する。次に、撮像部１００４は、被写体１００３がなく、Ｘ線発生部１００１がＸ線を照射し、角度Ｄの状態で、ＮD枚のゲイン補正用画像を生成する。合成ゲイン補正用画像生成部１０２３は、各角度において撮像されたゲイン補正用画像を、角度毎に分類することなく合成すると、Ｘ線発生部１００１の陽陰極のヒール効果等のＸ線照射分布不均一性が残存する可能性がある。ここで、ＮA＝ＮB＝ＮC＝ＮDの時は、合成ゲイン補正用画像生成部１０２３は、角度毎に分類することなく、合成ゲイン補正用画像を生成することができる場合もある。しかし、工場や販売会社だけでなく、市場においても、合成ゲイン補正用画像を生成する場合がある。合成ゲイン補正用画像生成部１０２３は、角度毎にゲイン補正用画像の平均化処理によって画像を生成する。そして、合成ゲイン補正用画像生成部１０２３は、各角度がＸ線発生部１００１から見て、相互に１８０度異なる複数の角度のペアのゲイン補正用画像が存在することを判定する。そして、合成ゲイン補正用画像生成部１０２３は、その１８０度異なる複数の角度のペアのゲイン補正用画像同士で平均化処理を行うことにより、合成ゲイン補正用画像を生成することが好ましい。
【００２７】
図５は、放射線撮像装置１０００の合成ゲイン補正用画像生成方法を示すフローチャートである。放射線撮像装置１０００は、病院施設等において、定期点検等で合成ゲイン補正用画像を生成することができる。ステップＳ５０１では、放射線撮像装置１０００は、合成ゲイン補正用画像生成処理を開始する。この処理は、半年又は１年毎の定期点検の時や、使用するＸ線発生部１００１の管球を交換した時、又はゲイン補正に起因するムラが画像中に見られる際などに実施する。ステップＳ５０２では、撮像部１００４は、現況を確認するために、病院施設等の実使用環境にて、被写体１００３がなく、Ｘ線発生部１００１がＸ線を放射している状態で、Ｘ線画像データをテスト用画像として生成する。テスト用画像は、ある角度で一枚の画像でよいが、撮像部１００４を、撮像部１００４の中心で回転させて複数の画像を生成してもよい。次に、ステップＳ５０３では、ゲイン補正部１００７は、合成ゲイン補正用画像保存部１００８に保存されている合成ゲイン補正用画像を用いて、撮像部１００４により生成されたテスト用画像をゲイン補正する。
【００２８】
次に、ステップＳ５０４では、ゲイン補正判定部１０２４は、ゲイン補正後のテスト用画像が適切か否かを判定する。ゲイン補正判定部１０２４は、ゲイン補正に起因するムラがテスト用画像中に見られない場合には、テスト用画像が適切であると判定し、ステップＳ５１２に処理を進め、処理を終了する。また、ゲイン補正判定部１０２４は、テスト用画像が適切でないと判定した場合には、ステップＳ５０５に処理を進める。
【００２９】
ステップＳ５０５では、放射線撮像装置１０００は、使用環境における合成ゲイン補正用画像生成処理を開始する。次に、ステップＳ５０６では、撮像部１００４は、被写体１００３がなく、Ｘ線発生部１００１がＸ線を照射している状態で、一つの撮像部１００４の角度にて、Ｘ線画像データをゲイン補正用画像として生成する。撮像部１００４の角度は、角度検出部１００９のジャイロセンサや地磁気センサにより検出してもよいし、撮像者が手入力で取得してもよい。ゲイン補正用画像保存部１０１９は、撮像部１００４により生成されたゲイン補正用画像を保存する。次に、ステップＳ５０７では、合成ゲイン補正用画像生成部１０２３は、ゲイン補正用画像保存部１０１９には、略１８０度異なる対となる複数のゲイン補正用画像が保存されているか否かを判定する。なお、ゲイン補正用画像にＸ線量子ノイズが混入されると、全てのゲイン補正後の画像に粒状性が見えるようになる。そのため、撮像部１００４の一つの角度にて生成するゲイン補正用画像は、１枚でなく４枚等の複数枚を平均化処理した画像を一つの角度のゲイン補正用画像としてもよい。また、ステップＳ５０７の判定は、自動判定でなくても、操作者が目視判定してもよい。合成ゲイン補正用画像生成部１０２３は、略１８０度異なる対となる複数のゲイン補正用画像が保存されていない場合には、ステップＳ５０８に処理を進める。
【００３０】
ステップＳ５０８では、回転部３０１は、撮像部１００４を他の角度に回転し、ステップＳ５０６に処理を戻す。ステップＳ５０６では、撮像部１００４は、被写体１００３がなく、Ｘ線発生部１００１がＸ線を照射している状態で、Ｘ線画像データをゲイン補正用画像として生成する。ステップＳ５０７では、合成ゲイン補正用画像生成部１０２３は、略１８０度異なる対となる複数のゲイン補正用画像が保存されている場合には、ステップＳ５０９に処理を進める。
【００３１】
ステップＳ５０９では、合成ゲイン補正用画像生成部１０２３は、撮像部１００４の角度に基づき、ゲイン補正用画像保存部１０１９に保存されているゲイン補正用画像を合成することにより、合成ゲイン補正用画像を生成する。次に、ステップＳ５１０では、ゲイン補正判定部１０２４は、その合成ゲイン補正用画像が適切であるか否かを判定し、適切でない場合にはステップＳ５０５に処理を戻し、適切である場合にはステップＳ５１１に処理を進める。ステップＳ５１１では、放射線撮像装置１０００は、病院施設等における合成ゲイン補正用画像生成処理を終了する。
【００３２】
図６は、Ｘ線発生部１００１のヒール効果等のＸ線照射分布不均一性を説明するための図である。陽陰極型のＸ線発生部１００１は、電子を加速して、陽極となる金属に衝突させて、Ｘ線を発生させる。このため、Ｘ線には、陽極の傾け角度に依存する不均一性が存在する。Ｘ線発生部１００１の国際規格では、最大照射野は、出力の３０％となるところまで分布させてもよいことになっている。このため、ゲイン補正を行うためのＸ線発生部１００１の照射は略平行とすることは望ましくなく、撮像部１００４をＸ線発生部１００１から見て、撮像部１００４の中心を回転中心に回転させて、ゲイン補正用画像を取得することが望ましい。合成ゲイン補正用画像生成部１０２３は、略１８０度異なるペアとなる複数の角度のゲイン補正用画像を平均化によって合成することにより、Ｘ線発生部１００１に依らない汎用な合成ゲイン補正用画像を生成することが望ましい。
【００３３】
以上のように、Ｘ線発生部１００１は、不均一な照射分布でＸ線を照射する。ステップＳ２０３では、撮像部１００４又はＸ線発生部１００１の複数の回転角度の各々の状態、かつ被写体１００３がない状態で、Ｘ線発生部１００１は、放射線を照射し、撮像部１００４は、ゲイン補正用画像を生成する。撮像部１００４又はＸ線発生部１００１の複数の回転角度の状態は、撮像部１００４とＸ線発生部１００１の複数の設置形態である。
ステップＳ２０５では、合成ゲイン補正用画像生成部１０２３は、上記の複数の回転角度の各々の状態のゲイン補正用画像を合成することにより、合成ゲイン補正用画像を生成する。合成ゲイン補正用画像生成部１０２３は、少なくとも略１８０度異なる複数の回転角度の状態のゲイン補正用画像を用いて合成することが好ましい。ゲイン補正部１００７は、合成ゲイン補正用画像を用いて、被写体１００３がある状態で撮像部１００４により生成された画像を補正する。
【００３４】
本実施形態によれば、Ｘ線発生部１００１は、撮像部１００４に到達するＸ線の照射分布が略平行状とならない。放射線撮像装置１０００は、そのようなＸ線発生部１００１を用いても、適切な合成ゲイン補正用画像を生成し、工場出荷前に撮像部１００４内の合成ゲイン補正用画像保存部１００８に保存することができる。このため、放射線撮像装置１０００の設置後に、放射線撮像装置１０００は、汎用的に、合成ゲイン補正用画像を生成しないで、合成ゲイン補正用画像保存部１００８の合成ゲイン補正用画像を用いて、ゲイン補正部１００７によりゲイン補正することができる。
【００３５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００３６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００３７】
１０００  放射線撮像装置、１００１  Ｘ線発生部、１００４  撮像部、１０２３  合成ゲイン補正用画像生成部
【図１】
2017202086.tif 000003
【図２】
2017202086.tif 000004
【図３】
2017202086.tif 000005
【図４】
2017202086.tif 000006
【図５】
2017202086.tif 000007
【図６】
2017202086.tif 000008